(57)【要約】【課題】従来と比較してより効率的なアドバイスを提供することのできる管理装置を提供する。【解決手段】本発明の一態様に係る地域情報管理装置（１０）は、対象世帯に属する対象種別の機器に関するアドバイスを、対象地域の各世帯に属する対象種別の機器の動作状態を参照して決定する推奨動作状態判定部（１０６）及びアドバイス作成部（１０８）と、対象世帯に属する対象種別の機器の動作状態とアドバイスが推奨する動作状態とが異なる場合にのみ対象世帯に対してアドバイスを送信するコンテンツ送信部（１１１）と、を備えている。【選択図】図１
2014231962.tif 000002
【特許請求の範囲】
【請求項１】
対象地域における各世帯に属する各機器の動作状態を示す情報を取得する動作状態情報取得手段と、
処理対象の世帯である対象世帯に属する対象種別の機器に関するアドバイスを、上記対象地域における各世帯に属する当該対象種別の機器の動作状態を参照して決定するアドバイス決定手段と、
上記アドバイス決定手段によって決定されたアドバイスを、上記対象世帯に対して送信するアドバイス送信手段と、を備え、
上記アドバイス送信手段は、上記対象世帯に属する対象種別の機器の動作状態と、上記アドバイス決定手段によって決定されたアドバイスが推奨する動作状態とが異なる場合にのみ、当該対象世帯に対してアドバイスを送信する、
ことを特徴とする管理装置。
【請求項２】
上記アドバイス決定手段は、上記対象地域における各世帯に属する各機器の動作状態として、該機器のオンオフの状態を、該機器の種別毎に判定する第１判定手段を更に備え、
上記第１判定手段は、
ある世帯に属する対象種別の各機器のうち、少なくとも１つの機器がオン状態であれば、当該ある世帯に属する当該対象種別の機器はオン状態であると判定し、
ある世帯に属する対象種別の全ての機器がオフ状態であれば、当該ある世帯に属する当該対象種別の機器はオフ状態であると判定する、
ことを特徴とする請求項１に記載の管理装置。
【請求項３】
上記アドバイス決定手段は、上記対象地域における各世帯に属する各機器の動作状態として、該機器のオンオフの状態を、該機器の電力消費量に基づいて判定する第２判定手段を更に備え、
上記第２判定手段は、
ある世帯に属する対象種別の機器の電力消費量が所定の閾値以上であれば、当該ある世帯に属する当該対象種別の機器はオン状態であると判定し、
ある世帯に属する対象種別の機器の電力消費量が所定の閾値未満であれば、当該ある世帯に属する当該対象種別の機器はオフ状態であると判定する、
ことを特徴とする請求項１に記載の管理装置。
【請求項４】
上記アドバイス決定手段は、
上記対象地域における対象種別の機器のうち、オン状態であると判定された機器の割合が所定の割合以上である場合、当該対象種別の機器をオンとすることを推奨するアドバイスを生成し、
上記対象地域における対象種別の機器のうち、オフ状態であると判定された機器の割合が所定の割合以上である場合、当該対象種別の機器をオフとすることを推奨するアドバイスを生成する、
ことを特徴とする請求項２又は３に記載の管理装置。
【請求項５】
上記アドバイス決定手段は、ある世帯に属する対象種別の機器の動作状態が変化した場合に、当該ある世帯に属する対象種別の機器の動作状態を判定する第３判定手段を更に備え、
上記第３判定手段は、
変化後の動作状態の継続期間が所定の期間以上である場合には、当該変化後の動作状態を当該ある世帯に属する対象種別の機器の動作状態であると判定し、
変化後の動作状態の継続期間が所定の期間未満である場合には、変化前の動作状態を当該ある世帯に属する対象種別の機器の動作状態であると判定する、
ことを特徴とする請求項１から４の何れか１項に記載の管理装置。
【請求項６】
上記各世帯に人が存在するか否かを判定する存否判定手段を更に備え、
上記アドバイス決定手段は、上記存否判定手段において人が存在すると判定された各世帯に属する対象種別の機器の動作状態のみを参照して、対象世帯に属する対象種別の機器に関するアドバイスを決定する、
ことを特徴とする請求項１から５の何れか１項に記載の管理装置。
【請求項７】
上記存否判定手段は、ある世帯における全ての電力消費量が所定の閾値以上である場合に、当該ある世帯に人が存在すると判定する、
ことを特徴とする請求項６に記載の管理装置。
【請求項８】
対象地域における各世帯に属する各機器の動作状態を管理する管理装置の管理方法であって、
上記対象地域における各世帯に属する各機器の動作状態を示す情報を取得する動作状態情報取得ステップと、
処理対象の世帯である対象世帯に属する対象種別の機器に関するアドバイスを、上記対象地域における各世帯に属する当該対象種別の機器の動作状態を参照して決定するアドバイス決定ステップと、
上記アドバイス決定ステップにおいて決定されたアドバイスを、上記対象世帯に対して送信するアドバイス送信ステップと、を含み、
上記アドバイス送信ステップにおいて、上記対象世帯に属する対象種別の機器の動作状態と、上記アドバイス決定ステップにおいて決定されたアドバイスが推奨する動作状態とが異なる場合にのみ、当該対象世帯に対してアドバイスを送信する、
ことを特徴とする管理方法。
【請求項９】
請求項１から７の何れか１項に記載の管理装置としてコンピュータを動作させるためのプログラムであって、上記コンピュータを上記の各手段として機能させることを特徴とするプログラム。
【請求項１０】
請求項９に記載のプログラムが記録されていることを特徴とするコンピュータ読み取り可能な記録媒体。
【発明の詳細な説明】
【技術分野】
【０００１】
本発明は、管理装置、および、当該管理装置の管理方法に関するものである。また、管理装置としてコンピュータを動作させるためのプログラム、及び、そのようなプログラムが記録された記録媒体に関するものである。
【背景技術】
【０００２】
近年、各世帯に備えられている家庭用電気機器に対して、省エネに好ましい動作状態をアドバイスする技術が普及してきている。
【０００３】
例えば、特許文献１には、世帯内に配置されている室内機及び室外機から取得した運転情報に基づいて節電メッセージを表示する空気調和機が開示されている。なお、特許文献１に記載の空気調和機は、運転情報記録手段であるサーバにおいて、節電の情報（例えば、空気調和機に給電を停止する期間の情報）を算出している。
【０００４】
しかし、特許文献１に記載の技術では、節電の情報を算出するために利用される情報は、同じ世帯内に配置されている室内機及び室外機から取得した運転情報であった。
【０００５】
これに対し、特許文献２には、複数の電気機器が設置されているある設置場所における全体の消費電力と、他の複数の設置場所における消費電力の平均とを比較した省エネに関するアドバイスを提供する省エネ支援装置が開示されている。
【先行技術文献】
【特許文献】
【０００６】
【特許文献１】特開２０１１−２２６６９４号公報（２０１１年１１月１０日公開）
【特許文献２】特開２０１２−１３８１２３号公報（２０１２年７月１９日公開）
【発明の概要】
【発明が解決しようとする課題】
【０００７】
しかし、特許文献２に記載の技術は、単に、ある設置場所における消費電力と他の複数の設置場所における消費電力の平均とを比較したアドバイスを提供する構成であるため、必ずしも効率的なアドバイスがされるとは限らない。
【０００８】
本発明は、上記の課題に鑑みてなされたものであり、その目的は、従来と比較してより効率的なアドバイスを提供することのできる管理装置を提供することにある。
【課題を解決するための手段】
【０００９】
本発明の一態様に係る管理装置は、上述の課題を解決するために、対象地域における各世帯に属する各機器の動作状態を示す情報を取得する動作状態情報取得手段と、処理対象の世帯である対象世帯に属する対象種別の機器に関するアドバイスを、上記対象地域における各世帯に属する当該対象種別の機器の動作状態を参照して決定するアドバイス決定手段と、上記アドバイス決定手段によって決定されたアドバイスを、上記対象世帯に対して送信するアドバイス送信手段と、を備え、上記アドバイス送信手段は、上記対象世帯に属する対象種別の機器の動作状態と、上記アドバイス決定手段によって決定されたアドバイスが推奨する動作状態とが異なる場合にのみ、当該対象世帯に対してアドバイスを送信する、ことを特徴としている。
【００１０】
また、本発明の一態様に係る管理装置の管理方法は、上述の課題を解決するために、対象地域における各世帯に属する各機器の動作状態を管理する管理装置の管理方法であって、上記対象地域における各世帯に属する各機器の動作状態を示す情報を取得する動作状態情報取得ステップと、処理対象の世帯である対象世帯に属する対象種別の機器に関するアドバイスを、上記対象地域における各世帯に属する当該対象種別の機器の動作状態を参照して決定するアドバイス決定ステップと、上記アドバイス決定ステップにおいて決定されたアドバイスを、上記対象世帯に対して送信するアドバイス送信ステップと、を含み、上記アドバイス送信ステップにおいて、上記対象世帯に属する対象種別の機器の動作状態と、上記アドバイス決定ステップにおいて決定されたアドバイスが推奨する動作状態とが異なる場合にのみ、当該対象世帯に対してアドバイスを送信する、ことを特徴としている。
【発明の効果】
【００１１】
上記の構成によれば、上記アドバイス決定手段は、上記対象世帯の含まれる対象地域における各世帯に属する対象種別の機器の動作状態を参照して、上記対象世帯に属する対象種別の機器に関するアドバイスを決定する。そして、上記アドバイス決定手段は、当該対象世帯に属する対象種別の機器の動作状態と、アドバイスが推奨する動作状態とが異なる場合にのみ、アドバイスを送信する。
【００１２】
これにより、上記管理装置は、上記対象世帯に対し、当該対象世帯に属する対象種別の機器の動作状態を、上記対象地域における各世帯に属する対象種別の機器の動作状態を参照して決定されたアドバイスが推奨する動作状態とするようアドバイスすることができる。したがって、上記管理装置は、上記対象世帯に属する対象種別の機器に関し、従来と比較してより効率的なアドバイスを提供することができる。
【図面の簡単な説明】
【００１３】
【図１】本発明の一実施形態に係る地域管理システムの構成を示すブロック図である。
【図２】本発明の一実施形態に係る地域管理システム１の構成の概要を示すブロック図である。
【図３】本発明の一実施形態に係る地域情報管理装置におけるアドバイスコンテンツ提供処理の流れを示すフローチャートである。
【図４】本発明の一実施形態に係る地域情報管理装置におけるアドバイス作成処理の流れを示すフローチャートである。
【図５】本発明の一実施形態の変形例に係る地域管理システムの構成を示すブロック図である。
【図６】本発明の他の実施形態に係る地域管理システムの構成を示すブロック図である。
【図７】本発明のさらに他の実施形態に係る地域管理システムの構成を示すブロック図である。
【図８】本発明のさらに他の実施形態に係る地域管理システムの構成を示すブロック図である。
【図９】本発明のさらに他の実施形態に係る地域管理システムの構成を示すブロック図である。
【図１０】本発明のさらに他の実施形態の変形例に係る世帯属性判定部において参照される、対象機器の種別と世帯情報の利用の有無とを関連付けたテーブルの一例を示す図である。
【発明を実施するための形態】
【００１４】
＜実施形態１＞
本発明に係る地域管理システムの一実施形態について、図１から図４を参照して説明する。但し、この実施形態に記載されている構成は、特に特定的な記載がない限り、この発明の範囲をそれのみに限定する趣旨ではなく、単なる説明例に過ぎない。
【００１５】
〔地域管理システムの構成〕
まず、本実施形態に係る地域管理システムについて、図２を参照して説明する。図２は、本実施形態に係る地域管理システム１の構成の概要を示すブロック図である。
【００１６】
図２に示すように、地域管理システム１は、地域情報管理装置（管理装置）１０、及び、世帯情報管理装置２０を含んで構成されている。また、図２に示すように、世帯情報管理装置２０は、地域管理システム１に複数含まれており、地域情報管理装置１０と各世帯情報管理装置２０とは、例えばインターネットなどのネットワークを介して接続されている。
【００１７】
また、本実施形態に係る地域管理システム１の詳細について、図１を参照して説明する。図１は、本実施形態に係る地域管理システム１の構成を示すブロック図である。
【００１８】
なお、本実施形態では、機器として、例えば、空気調和装置（例えば、エアコン、加湿器、及び空気清浄器など）、照明装置、及び、テレビジョン受像器（テレビ）などの家庭用電気機器を挙げることができる。
【００１９】
〔地域情報管理装置〕
地域情報管理装置１０は、対象地域における各世帯に属する各機器の動作状態を統括的に管理する装置であり、例えば、サーバなどによって実現されるが、その実現方法は特に限定されるものではない。
【００２０】
ここで、対象地域とは、地域情報管理装置１０におけるアドバイスの対象となる世帯（対象世帯）の属する地域を示している。なお、対象地域の範囲は、例えば、郵便番号（又は、郵便番号の上三桁）、都道府県、又は、市町村などによって特定することができるが、本発明においては特に限定されるものではない。
【００２１】
図１に示すように、地域情報管理装置１０は、世帯情報受信部１０１、世帯情報管理部１０２、世帯情報蓄積部１０３、世帯動作状態判定部（第１判定手段）１０４、世帯動作状態蓄積部１０５、推奨動作状態判定部（アドバイス決定手段）１０６、アドバイス蓄積部１０７、アドバイス作成部（アドバイス決定手段）１０８、コンテンツ作成部（アドバイス決定手段）１０９、コンテンツ要求受信部１１０、及び、コンテンツ送信部（アドバイス送信手段）１１１を備えている。
【００２２】
（世帯情報受信部、世帯情報管理部、世帯情報蓄積部）
世帯情報受信部１０１は、対象地域における各世帯に備えられている世帯情報管理装置２０から、世帯情報管理装置２０の備えられている世帯に属する各機器の動作状態を示す情報である動作状態情報を、ネットワークを介して受信する。
【００２３】
ここで、動作状態としては、例えば、各機器のＯＮ／ＯＦＦ（オンオフ）状態、電力消費量、及び、動作設定などを例に挙げることができるが、特に限定されるものではない。なお、動作設定としては、例えば、機器がエアコンである場合には設定温度、設定湿度などを挙げることができ、機器が照明装置である場合には設定輝度などを挙げることができ、機器がテレビである場合には選択されているチャンネルなどを挙げることができる。また、動作状態情報の取得には既知の技術を用いることができるため、ここではその詳細な説明は省略するが、例えば、エコーネット（ＥＣＨＯＮＥＴ）（登録商標）規格などを利用してネットワークを介して取得することができる。
【００２４】
世帯情報管理部１０２は、世帯情報受信部１０１が各世帯情報管理装置２０から取得した各動作状態情報を世帯情報蓄積部１０３に格納する。
【００２５】
なお、本実施形態では、世帯情報送信部２０１から世帯情報受信部１０１に供給される動作状態情報と共に、世帯情報管理装置２０の備えられている世帯を示すＩＤ（以降、世帯ＩＤとも記載する）が供給される。また、世帯情報管理部１０２は、世帯情報管理装置２０から取得した動作状態情報を世帯ＩＤと関連付けて世帯情報蓄積部１０３に格納する。
【００２６】
（世帯動作状態判定部、世帯動作状態蓄積部）
世帯動作状態判定部１０４は、対象地域における各世帯に属する機器の各々の動作状態を判定する手段である。具体的には、世帯動作状態判定部１０４は、世帯情報蓄積部１０３から、格納されている各世帯に属する各機器の動作状態情報を読み出し、取得した動作状態情報から各世帯に属する機器の各々の動作状態を判定する。
【００２７】
世帯動作状態蓄積部１０５は、世帯動作状態判定部１０４において判定した各世帯に属する各機器の動作状態を示す動作状態判定情報を格納する。
【００２８】
また、世帯動作状態判定部１０４は、世帯情報蓄積部１０３から動作状態情報と共に当該動作状態情報に関連付けられている世帯ＩＤを読み出す。世帯動作状態判定部１０４は、読み出した世帯ＩＤを、動作状態判定情報に関連付けて世帯動作状態蓄積部１０５に格納する。
【００２９】
（推奨動作状態判定部）
推奨動作状態判定部１０６は、対象地域における各世帯に属する各機器のうち、推奨動作判定処理の対象となる種別の機器（以降では、対象種別の機器、又は単に対象機器とも記載する）の推奨動作状態を判定する推奨動作状態判定処理を実行する手段である。詳細については後述するが、推奨動作状態判定部１０６は、推奨動作状態判定処理において次の処理を実行する。
【００３０】
まず、推奨動作状態判定部１０６は、世帯動作状態蓄積部１０５に格納されている、対象地域における各世帯に属する対象機器の動作状態を取得する。そして、推奨動作状態判定部１０６は、各世帯における対象機器の動作状態のうち、最も多くの世帯の機器において共通している動作状態を、推奨動作状態として判定する。
【００３１】
なお、本実施形態では、対象機器の推奨動作状態として、対象地域に属する世帯のうち最も多くの世帯の機器において共通している動作状態を推奨動作状態とする場合を例に挙げて説明するが、本発明はこれに限定されるものではない。推奨動作状態判定部１０６は、例えば、対象地域に含まれる半数以上の世帯の機器において共通している動作状態を、推奨動作状態としてもよいし、予め定められた割合又は閾値以上の数の世帯の機器において共通している動作状態を推奨動作状態とすることもできる。
【００３２】
（コンテンツ要求受信部、アドバイス蓄積部、アドバイス作成部）
コンテンツ要求受信部１１０は、世帯情報管理装置２０から送信されるコンテンツ要求指示を受信する手段である。
【００３３】
コンテンツ要求指示には、コンテンツ要求を送信した世帯情報管理装置２０の備えられている世帯を示すＩＤ（以降、対象世帯ＩＤとも記載する）が含まれている。
【００３４】
アドバイス作成部１０８は、コンテンツ要求受信部１１０において取得されたコンテンツ要求指示に従って、対象世帯ＩＤの示す世帯（対象世帯）に属する対象機器に関するアドバイス（より具体的には、機器の動作に関するアドバイス）を、推奨動作状態を参照して判定する。そして、アドバイス作成部１０８は、判定したアドバイスをアドバイス蓄積部１０７から読み出すことにより、アドバイスを作成（生成）する。なお、アドバイス作成部１０８におけるアドバイス作成処理の詳細については、後述する。
【００３５】
アドバイス蓄積部１０７には、機器の種別毎に予め決められたアドバイスが格納されている。
【００３６】
（コンテンツ作成部、コンテンツ送信部）
コンテンツ作成部１０９は、アドバイス作成部１０８において作成されたアドバイスを含むコンテンツ（以降、アドバイスコンテンツとも記載する）を作成する。
【００３７】
コンテンツ送信部１１１は、コンテンツ作成部１０９において作成したアドバイスコンテンツを、世帯情報管理装置２０に送信する。
【００３８】
なお、本実施形態におけるアドバイスコンテンツとしては、例えば、世帯情報管理装置２０において視聴可能に表示されるアプリケーション及びＷｅｂコンテンツなどを例にあげることができる。
【００３９】
コンテンツがアプリケーションである場合には、コンテンツ要求指示は、例えばアプリケーションの起動時に世帯情報管理装置２０がネットワークに接続される時点で送信されればよい。また、コンテンツがＷｅｂコンテンツである場合には、コンテンツ要求指示は、世帯情報管理装置２０が所定のＷｅｂサイトへアクセスする時点で送信されればよい。
【００４０】
〔世帯情報管理装置〕
世帯情報管理装置２０は、対象地域における各世帯に備えられる装置であって、備えられた世帯に属する各機器の動作状態を管理する装置である。なお、図２に示すように、地域管理システム１には複数の世帯情報管理装置２０が含まれているが、本実施形態では、１つの世帯情報管理装置２０の動作を例に挙げて説明する。
【００４１】
図１に示すように、世帯情報管理装置２０は、世帯情報送信部２０１、コンテンツ要求部２０２、コンテンツ受信部２０３、及び、コンテンツ視聴部２０４を備えている。
【００４２】
（世帯情報送信部）
世帯情報送信部２０１は、備えられた世帯に属する各機器の動作状態を示す動作状態情報を、地域情報管理装置１０に送信する手段である。
【００４３】
世帯情報受信部１０１は、対象地域における各世帯に備えられている世帯情報管理装置２０から、各世帯に属する各機器の動作状態を示す情報である動作状態情報を受信する手段である。
【００４４】
（コンテンツ要求部）
コンテンツ要求部２０２は、コンテンツ要求指示を、地域情報管理装置１０に送信する。
【００４５】
コンテンツ要求部２０２から通知されるコンテンツ要求指示には、対象地域における対象世帯の備える各機器のうち、何れの機器のコンテンツ要求であるかを示す要求情報が含まれる。
【００４６】
（コンテンツ受信部、コンテンツ視聴部）
コンテンツ受信部２０３は、コンテンツ要求指示に応じて地域情報管理装置１０において作成されたアドバイスコンテンツを受信する。
【００４７】
コンテンツ視聴部２０４は、コンテンツ受信部２０３において受信したアドバイスコンテンツを視聴可能に出力する。具体的には、コンテンツ視聴部２０４は、受信したアドバイスコンテンツに映像が含まれている場合には映像を表示し、音声が含まれている場合には音声を出力する。
【００４８】
なお、本実施形態では、コンテンツ視聴部２０４が世帯情報管理装置２０に備えられている構成を例に挙げて説明するが、本発明はこれに限定されるものではない。例えば、コンテンツ視聴装置など、専用の表示装置として世帯情報管理装置２０とは別の装置として設けられていても良い。
【００４９】
〔地域情報管理装置におけるアドバイスコンテンツ提供処理〕
次に、本実施形態に係る地域情報管理装置１０における、対象世帯に対する対象種別の機器（対象機器）の動作状態に関するアドバイスコンテンツ提供処理について、図３を参照して説明する。図３は、本実施形態に係る地域情報管理装置１０におけるアドバイスコンテンツ提供処理の流れを示すフローチャートである。なお、本実施形態では、対象種別の機器がエアコンであり、動作状態として機器のＯＮ／ＯＦＦを判定する場合を例に挙げて説明する。
【００５０】
まず、図３に示すように、地域情報管理装置１０の世帯情報受信部１０１は、各世帯情報管理装置２０の世帯情報送信部２０１から、対象地域における各世帯に属する各機器の動作状態情報を取得する（ステップＳ１０１）。世帯情報管理部１０２は、世帯情報受信部１０１において取得した動作状態情報を世帯情報蓄積部１０３に格納する。
【００５１】
次に、世帯動作状態判定部１０４は、世帯情報蓄積部１０３に格納されている各世帯に属する各機器の動作状態情報からＯＮ／ＯＦＦ状態を示す動作状態情報を抽出し、各世帯に属する各機器のＯＮ／ＯＦＦ状態を判定する（ステップＳ１０２）。世帯動作状態判定部１０４は、判定した各世帯に属する各機器の各々のＯＮ／ＯＦＦ状態を示す動作状態判定情報を、世帯動作状態蓄積部１０５に格納する。
【００５２】
さらに、推奨動作状態判定部１０６は、世帯動作状態蓄積部１０５に格納されている各世帯に属する各機器の動作状態判定情報のうち、エアコンのＯＮ／ＯＦＦ状態を示す動作状態判定情報から、対象地域における各世帯に属するエアコンの推奨動作状態を判定する推奨動作状態判定処理を実行する（ステップＳ１０３）。なお、本実施形態に係る推奨動作状態判定処理の詳細については、後述する。
【００５３】
次に、コンテンツ要求受信部１１０が世帯情報管理装置２０のコンテンツ要求部２０２からコンテンツ要求指示を受信すると、アドバイス作成部１０８は、コンテンツ要求指示を送信した世帯情報管理装置２０を備える世帯に対して行うエアコンの推奨動作状態に関するアドバイスを作成するアドバイス作成処理を実行する（ステップＳ１０４）。なお、アドバイス作成処理の詳細については、後述する。
【００５４】
アドバイス作成部１０８は、作成したアドバイスをコンテンツ作成部１０９に供給する。
【００５５】
そして、コンテンツ作成部１０９は、アドバイス作成部１０８から供給されるアドバイスを含むアドバイスコンテンツを作成し、作成したアドバイスコンテンツを世帯情報管理装置２０に出力する（ステップＳ１０５）。
【００５６】
なお、本実施形態では、ある世帯に対象種別の機器が複数備えられている場合、世帯動作状態判定部１０４は、ステップＳ１０２において、ある世帯に属する対象種別の機器のうち、少なくとも１つの機器がＯＮ状態である場合には、当該ある世帯に属する対象種別の機器はＯＮ状態であると判定する。つまり、世帯動作状態判定部１０４は、ある世帯に属する同一種別の機器のうち、全ての機器がＯＦＦ状態である場合に限って、対象種別の機器がＯＦＦ状態であると判定する。例えば、ある世帯にエアコンが３台備えられている場合、少なくとも１台のエアコンがＯＮ状態である場合には、世帯動作状態判定部１０４は、ある世帯に属するエアコンはＯＮ状態であると判定する。
【００５７】
これによって、地域情報管理装置１０は、対象世帯に属するエアコンが複数ある場合であっても、対象世帯に属する各エアコンに対して異なるアドバイスがされてしまうことを防ぐことができる。
【００５８】
（推奨動作状態判定処理）
次に、推奨動作状態判定部１０６による推奨動作状態判定処理について説明する。
【００５９】
まず、推奨動作状態判定部１０６は、推奨動作状態判定処理を開始すると、世帯動作状態蓄積部１０５の格納されている推奨動作状態情報から、対象地域における各世帯に属するエアコンのＯＮ／ＯＦＦ状態を示す推奨動作状態情報を取得する。
【００６０】
次に、推奨動作状態判定部１０６は、ＯＮ／ＯＦＦ状態を示す推奨動作状態情報を参照して、対象地域においてＯＮ状態であるエアコンの属する世帯数と、ＯＦＦ状態であるエアコンの属する世帯数とを比較する。
【００６１】
そして、推奨動作状態１０６は、ＯＮ状態であるエアコンの属する世帯数が、ＯＦＦ状態であるエアコンの属する世帯数よりも多い場合には、対象地域におけるエアコンの推奨動作状態を、ＯＮ状態と判定する。また、推奨動作状態１０６は、ＯＦＦ状態であるエアコンの属する世帯数が、ＯＮ状態であるエアコンの属する世帯数よりも多い場合には、対象地域におけるエアコンの推奨動作状態を、ＯＦＦ状態と判定する。
【００６２】
（アドバイス作成処理）
次に、本実施形態に係る地域情報管理装置１０におけるアドバイス作成処理について、図４を参照して説明する。図４は、本実施形態に係る地域情報管理装置１０におけるアドバイス作成処理の流れを示すフローチャートである。
【００６３】
地域情報管理装置１０は、コンテンツ要求受信部１１０において世帯情報管理装置２０のコンテンツ要求部２０２からコンテンツ要求指示を取得すると、取得したコンテンツ要求指示をアドバイス作成部１０８に供給する。アドバイス作成部１０８は、コンテンツ要求受信部１１０からコンテンツ要求指示が供給されると、アドバイス作成処理を開始する。
【００６４】
アドバイス作成部１０８は、まず、コンテンツ要求指示に従って、推奨動作状態判定部１０６から対象地域におけるエアコンの推奨動作状態を取得する（ステップＳ２０１）。
【００６５】
また、アドバイス作成部１０８は、コンテンツ要求指示に含まれる対象世帯ＩＤと同じ世帯ＩＤに関連付けられている動作状態判定情報を世帯動作状態蓄積部１０５から読み出すことで、対象世帯ＩＤの示す対象世帯に属するエアコンの動作状態を取得する（ステップＳ２０２）。
【００６６】
次に、アドバイス作成部１０８は、対象世帯に属するエアコンの動作状態と、対象地域におけるエアコンの推奨動作状態とが一致しているか否かを判定する（ステップＳ２０３）。
【００６７】
対象世帯に属するエアコンの動作状態と、対象地域におけるエアコンの推奨動作状態とが一致していない場合（ステップＳ２０３においてＮＯ）、アドバイス作成部１０８は、対象世帯に属するエアコンの動作状態を推奨動作状態に合わせる旨のアドバイスを作成する（ステップＳ２０４）。例えば、対象地域におけるエアコンの推奨動作状態がＯＮ状態であり、対象世帯に属するエアコンの動作状態がＯＦＦ状態である場合には、アドバイス作成部１０８は、対象世帯に属するエアコンをＯＮ状態とするよう推奨する旨のアドバイスをアドバイス蓄積部１０７から読み出すことにより、アドバイスを作成する。
【００６８】
対象世帯に属するエアコンの動作状態と、対象地域におけるエアコンの推奨動作状態とが一致している場合（ステップＳ２０３においてＹＥＳ）、アドバイス作成部１０８は、アドバイスを作成しない。
【００６９】
なお、本実施形態では、ステップＳ２０３においてＹＥＳである場合に、アドバイスを作成しない構成を例に挙げて説明したが、これに限定されるものではない。例えば、ステップＳ２０３においてＹＥＳである場合に、対象世帯に属するエアコンの動作状態を維持するよう推奨する旨のアドバイスを作成してもよい。
【００７０】
これにより、地域情報管理装置１０は、対象世帯に備えられる世帯情報管理装置２０に対して、当該対象世帯に属する対象機器の動作状態を、対象地域における各世帯に属する対象機器の動作状態を参照して決定されたアドバイスが推奨する動作状態とするようアドバイスすることができる。したがって、地域情報管理装置１０は、対象世帯に属する対象種別の機器に関し、従来と比較してより効率的なアドバイスを提供することができる。
【００７１】
また、対象世帯においてアドバイスコンテンツに含まれるアドバイスを参照するユーザは、対象機器の動作状態が、推奨される動作状態と異なる場合にのみアドバイスコンテンツに基づいて当該対象機器の動作状態を調整すればよい。つまり、対象機器の動作状態が推奨される動作状態と同じ場合には、ユーザは、アドバイスコンテンツを確認することも、対象種別の機器の動作状態を調整する必要もない。したがって、地域情報管理装置１０は、ユーザの操作性を向上させることができる。
【００７２】
なお、本実施形態では、対象世帯に属する対象機器の推奨動作状態を判定するために、推奨動作状態判定部１０６において対象世帯を含んだ対象地域の各世帯に属する対象機器の動作状態を参照する構成を例に挙げて説明したが、本発明はこれに限定されるものではない。例えば、推奨動作状態判定部１０６は、対象地域における当該対象世帯以外の世帯に属する対象種別の機器の動作状態を参照することによって、対象世帯に属する対象機器の推奨動作状態を判定してもよい。
【００７３】
＜変形例１＞
実施形態１では、地域情報管理装置１０が世帯情報管理装置２０からコンテンツ要求指示を受信した場合にアドバイスコンテンツの作成を開始する構成について説明したが、本発明はこれに限定されるものではない。例えば、地域情報管理装置１０は、世帯情報管理装置２０からコンテンツ要求指示を受信するか否かに係らず、定期的にアドバイスコンテンツを作成する構成を採用することもできる。
【００７４】
本実施形態の変形例について、図５を参照して説明する。図５は、本実施形態に係る地域管理システム１’の構成を示すブロック図である。なお、説明の便宜上、実施形態１に係る地域管理システム１と同様の機能を有する構成要素については同一の符号を付し、その説明を省略する。本実施形態では、主に、実施形態１との相違点について説明するものとする。
【００７５】
〔地域管理システム〕
図５に示すように、本実施形態に係る地域管理システム１’の備える世帯情報管理装置２０ａは、実施形態１に係る世帯情報管理装置２０のコンテンツ要求部２０２に対応する機能を備えていない。また、本実施形態に係る地域管理システム１’の備える地域情報管理装置１０ａは、実施形態１に係る地域情報管理装置１０のコンテンツ要求受信部１１０に対応する機能を備えていない。
【００７６】
（アドバイス作成部）
アドバイス作成部１１２は、対象地域における各世帯に属する対象機器に関するアドバイスを定期的に作成する。
【００７７】
なお、アドバイス作成部１１２におけるアドバイス作成処理については、コンテンツ要求指示から要求世帯ＩＤを取得する変わりに世帯動作状態蓄積部１０５に格納されている世帯ＩＤを取得し、取得した世帯ＩＤの示す対象世帯の各々に属する対象機器に関するアドバイスを作成すること以外は、実施形態１におけるアドバイス作成処理と同様であるため、ここではその詳細な説明は省略する。
【００７８】
アドバイス作成部１１２は、対象地域における世帯のそれぞれに対する対象機器に関するアドバイスを、対象地域における全世帯について同時に作成してもよいし、世帯毎に作成してもよい。
【００７９】
なお、本実施形態に係るアドバイス作成部１１２が定期的にアドバイスを作成する頻度は、例えば、１時間に１回であってもよいし、３０分に１回であってもよいし、特に限定されるものではない。
【００８０】
＜変形例２＞
また、実施形態１では、対象機器がエアコンである場合に、動作状態としてＯＮ／ＯＦＦ状態を用いる構成について説明したが、本発明はこれに限定されるものではない。本変形例では、対象機器がエアコンである場合に、動作状態としてエアコンの設定温度を用いる構成について説明する。
【００８１】
（世帯動作状態判定部）
本変形例に係る世帯動作状態判定部１０４は、世帯情報蓄積部１０３から、格納されている各世帯に属するエアコンの動作状態情報のうち、設定温度を示す動作状態情報を抽出し、各世帯に属するエアコンの設定温度を判定する。
【００８２】
（推奨動作状態判定部）
また、本変形例に係る推奨動作状態判定部１０６は、各世帯におけるエアコンの設定温度のうち、最も多くの世帯の機器において共通している設定温度を、推奨動作状態として判定する。
【００８３】
例えば、対象地域における各世帯のうち、７０％の世帯の設定温度が２８℃であり、３０％の世帯の設定温度が２６℃である場合には、２８℃の設定温度を推奨動作状態として判定する。この場合、アドバイス作成部１０８は、対象世帯に属するエアコンの設定温度を２８℃とするよう推奨する旨のアドバイスを作成すればよい。
【００８４】
＜実施形態２＞
実施形態１では、動作状態として各機器のＯＮ／ＯＦＦ状態を直接用いる構成について説明したが、本発明はこれに限定されるものではない。例えば、動作状態として各機器における電力消費量を用いて、該各機器のＯＮ／ＯＦＦ状態を判定する構成を採用することもできる。
【００８５】
本発明の他の実施形態について、図６を参照して説明する。図６は、本実施形態に係る地域管理システム２の構成を示すブロック図である。説明の便宜上、実施形態１に係る地域管理システム１と同様の機能を有する構成要素については同一の符号を付し、その説明を省略する。本実施形態では、主に、実施形態１との相違点について説明するものとする。
【００８６】
〔地域情報管理装置〕
図６に示すように、本実施形態に係る地域管理システム２の地域情報管理装置１０ｂは、実施形態１に係る地域情報管理装置１０の備える各部に加えて、閾値算出部１１３、及び、機器動作状態判定部（第２判定手段）１１４を更に備えている。
【００８７】
（閾値算出部）
閾値算出部１１３は、世帯動作状態判定部１０４において参照される、対象地域における各世帯に属する各機器の動作状態を判定するための閾値を算出するための手段である。なお、閾値算出部１１３は、機器毎に閾値を算出することが好ましいが、各機器に共通の閾値を算出してもよい。また、閾値算出部１１３は、世帯毎に閾値を算出してもよいし、対象地域における各世帯に共通の閾値を算出してもよい。
【００８８】
本実施形態に係る世帯情報蓄積部１０３には、過去に世帯情報受信部１０１において取得された対象地域における各世帯に属する各機器の電力消費量が、取得時刻と関連付けられて格納されている。世帯情報蓄積部１０３に格納されている過去の電力消費量は、例えば、１時間毎に各世帯情報管理装置２０から供給されたものであればよいが、各世帯情報管理装置２０から供給される間隔については、特に限定されるものではない。
【００８９】
閾値算出部１１３は、世帯情報蓄積部１０３に蓄積されている過去の電力消費量から、判別分析法によって閾値を算出する。なお、本発明における閾値の算出方法は、判別分析法に限定されるものではなく、例えば、電力消費量の統計から得られた最大値及び最小値の中心値を閾値として算出してもよいし、電力消費量の平均値を閾値として算出してもよい。
【００９０】
（世帯動作状態判定部）
本実施形態に係る世帯動作状態判定部１０４は、まず、世帯情報蓄積部１０３から、格納されている各世帯に属する各機器の動作状態情報のうち電力消費量を示す動作状態情報を読み出す。次に、世帯動作状態判定部１０４は、読み出した電力消費量の値と、閾値算出部１１３において算出された閾値と比較することにより、対象地域における各世帯に属する各機器の動作状態を判定する。
【００９１】
具体的には、世帯動作状態判定部１０４は、電力消費量の値が閾値以上である場合には機器がＯＮ状態であると判定し、電力消費量の値が閾値よりも小さい場合には機器がＯＦＦ状態であると判定する。
【００９２】
つまり、世帯動作状態判定部１０４は、図３に示すアドバイスコンテンツ提供処理におけるステップＳ１０２に変えて、世帯情報蓄積部１０３に格納されている各世帯に属する各機器の動作状態情報から電力消費量を示す動作状態情報を抽出し、閾値算出部１１３において機器毎に設定される閾値に基づいて、各世帯に属する各機器のＯＮ／ＯＦＦ状態を判定する処理を実行すればよい。
【００９３】
これにより、本実施形態に係る地域情報管理装置１０ｂは、各機器における電力消費量から判定したＯＮ／ＯＦＦ状態の判定結果に応じてアドバイスを作成し、世帯情報管理装置２０に対してアドバイスコンテンツを提供することができる。
【００９４】
これによって、地域情報管理装置１０ａは、対象種別の機器のＯＮ／ＯＦＦ状態を取得できない場合であっても、電力消費量に基づいてＯＮ／ＯＦＦ状態を判定することができる。
【００９５】
＜実施形態３＞
本発明の他の実施形態について、図７を参照して説明する。図７は、本実施形態に係る地域管理システム３の構成を示すブロック図である。説明の便宜上、実施形態１に係る地域管理システム１と同様の機能を有する構成要素については同一の符号を付し、その説明を省略する。本実施形態では、主に、実施形態１との相違点について説明するものとする。
【００９６】
〔地域情報管理装置〕
図７に示すように、本実施形態に係る地域管理システム３の地域情報管理装置１０ｂは、実施形態１に係る地域情報管理装置１０の備える各部に加えて、フィルタ部（第３判定手段）１１５を更に備えている。
【００９７】
（フィルタ部）
フィルタ部１１５は、世帯情報蓄積部１０３に蓄積されている各機器の動作状態情報の示す動作状態が変化している場合に、変化した動作状態が所定の期間以上継続しているか否かによってフィルタリングする。
【００９８】
具体的には、フィルタ部１１５は、変化後の動作状態の継続期間が所定の期間以上である場合には、当該変化後の動作状態がある世帯に属する対象種別の機器の動作状態であると判定し、判定結果を世帯動作状態判定部１０４に供給する。また、フィルタ部１１５は、変化後の動作状態の継続期間が所定の期間未満である場合には、変化前の動作状態が当該ある世帯に属する対象種別の機器の動作状態であると判定し、判定結果を世帯動作状態判定部１０４に供給する。
【００９９】
つまり、フィルタ部１１５は、変化後の動作状態の継続期間が所定の期間以上である場合には、当該変化後の動作状態をある世帯に属する対象種別の機器の動作状態とし、変化後の動作状態の継続期間が所定の期間未満である場合には、変化前の動作状態を当該ある世帯に属する対象種別の機器の動作状態とする。
【０１００】
これによって、推奨動作状態判定部１０６は、対象機器の動作状態が短期間だけ変化するような場合に、短期間だけ変化した動作状態によらずに判定された動作状態から推奨動作状態を判定することができる。したがって、アドバイス作成部１０８は、対象機器の動作状態が短期間だけ変化した場合であっても、対象世帯の備える世帯情報管理装置２０へ送信されるアドバイスコンテンツに含まれるアドバイスが短期間で変化してしまうことを防ぐことができる。
【０１０１】
＜実施形態４＞
実施形態１においては、対象地域における推奨動作状態を、対象地域における世帯情報管理装置２０の備えられた全ての世帯から取得した動作状態情報を用いて判定する構成を説明したが、本発明はこれに限定されるものではない。例えば、対象地域における世帯情報管理装置２０の備えられた世帯のうち、推奨動作状態を判定する時点でユーザの存在する世帯から取得した動作状態情報のみを用いて対象地域における推奨動作状態を判定する構成を採用することもできる。
【０１０２】
本発明のさらに他の実施形態について、図８を参照して説明する。図８は、本実施形態に係る地域管理システム４の構成を示すブロック図である。説明の便宜上、実施形態１に係る地域管理システム１と同様の機能を有する構成要素については同一の符号を付し、その説明を省略する。本実施形態では、主に、実施形態１との相違点について説明するものとする。
【０１０３】
〔地域情報管理装置〕
本実施形態に係る地域管理システム４の備える地域情報管理装置１０ｄは、図８に示すように、在宅状態判定部（存否判定手段）１１６を更に備えている。
【０１０４】
（世帯情報受信部、世帯情報管理部）
本実施形態では、世帯情報受信部１０１は、対象地域における各世帯に備えられている世帯情報管理装置２０から、動作状態情報および世帯ＩＤと共に、世帯情報管理装置２０の備えられている世帯（宅内）にユーザが居るか否かを示す在宅状態情報を、ネットワークを介して受信する。
【０１０５】
世帯情報管理部１０２は、世帯情報受信部１０１の取得した在宅状態情報を、動作状態情報および世帯ＩＤと関連付けて世帯情報蓄積部１０３に蓄積する。
【０１０６】
（在宅状態判定部）
在宅状態判定部１１６は、世帯情報蓄積部１０３に格納されている各世帯の在宅状態情報が、「在宅」（つまり、宅内にユーザが存在している）であることを示しているか、「不在」（つまり、宅内にユーザが存在しない）であることを示しているかを判定する。
【０１０７】
在宅状態判定部１１６は、在宅状態情報が在宅であることを示している場合には、在宅であることを示す在宅状態情報と関連付けられている動作状態情報および世帯ＩＤを世帯情報蓄積部１０３から読み出し、世帯動作状態判定部１０４に供給する。また、在宅状態判定部１１６は、在宅状態情報が不在であることを示している場合には、不在であることを示す在宅状態情報と関連付けられている動作状態情報および世帯ＩＤについては世帯動作状態判定部１０４に供給しない。
【０１０８】
なお、在宅状態情報は、例えば、１つの世帯で消費されている全体の電力消費量（以降、主幹電力消費量とも記載する）であってもよい。また、在宅状態情報は、各世帯に人感センサ（不図示）が備えられている場合には世帯におけるユーザの在否を示す人感センサのセンサ信号などであってもよいし、特に限定されるものではない。
【０１０９】
在宅状態情報が主幹電力消費量である場合、世帯情報管理部１０２は、取得した主幹電力消費量の値が予め定められた閾値（所定の閾値）以上である場合に、在宅状態情報が「存在」を示していると判定する。また、世帯情報管理部１０２は、主幹電力消費量の値が予め定められた閾値よりも小さい場合に、在宅状態情報が「不在」を示していると判定する。
【０１１０】
（世帯動作状態判定部、推奨動作状態判定部、アドバイス作成部）
世帯動作状態判定部１０４は、在宅状態判定部１１６において在宅を示していると判定された在宅状態情報と関連付けられている動作状態情報に基づいて、各世帯の動作状態を判定し、動作状態判定情報を世帯ＩＤと関連付けて世帯動作状態蓄積部１０５に格納する。
【０１１１】
また、推奨動作状態判定部１０６は、世帯動作状態蓄積部１０５に格納されている、「在宅」であると判定された各世帯の動作状態情報に基づいて、対象地域における推奨動作状態を判定する。
【０１１２】
そして、アドバイス作成部１０８は、「在宅」であると判定された各世帯の動作状態情報から判定された推奨動作状態に基づいて、対象世帯に属する各機器に関するアドバイスを作成する。
【０１１３】
上述の構成によれば、アドバイス作成部１０８は、在宅状態判定部１１６において不在であると判定された各世帯に属する対象動作状態を参照することなく、アドバイスを作成することができる。したがって、本実施形態に係る地域情報管理装置１０ｄは、より正確なアドバイスコンテンツを対象世帯に提供することができる。
【０１１４】
＜実施形態５＞
実施形態１においては、対象地域における推奨動作状態を、対象地域における世帯情報管理装置２０の備えられた全ての世帯から取得した動作状態情報を用いて判定する構成を説明したが、本発明はこれに限定されるものではない。例えば、各世帯を主に構成する人（家族）の属性（以降では、世帯属性とも記載する）に応じて推奨動作状態を判定してもよい。
【０１１５】
本発明のさらに他の実施形態について、図９を参照して説明する。図９は、本実施形態に係る地域管理システム４の構成を示すブロック図である。説明の便宜上、実施形態１に係る地域管理システム１と同様の機能を有する構成要素については同一の符号を付し、その説明を省略する。本実施形態では、主に、実施形態１との相違点について説明するものとする。
【０１１６】
〔地域情報管理装置〕
本実施形態に係る地域管理システム５の備える地域情報管理装置１０ｅは、図８に示すように、世帯属性判定部を更に備えている。
【０１１７】
（世帯情報受信部、世帯情報管理部）
本実施形態では、世帯情報受信部１０１は、対象地域における各世帯に備えられている世帯情報管理装置２０から、動作状態情報および世帯ＩＤと共に、世帯属性情報を、ネットワークを介して受信する。世帯情報管理部１０２は、世帯情報受信部１０１の取得した世帯属性情報を、動作状態情報および世帯ＩＤと関連付けて世帯情報蓄積部１０３に蓄積する。
【０１１８】
（世帯動作状態判定部）
世帯動作状態判定部１０４は、世帯情報蓄積部１０３に格納されている対象地域における各世帯に属する各機器の動作状態情報を読み出し、各世帯に属する機器の各々の動作状態を判定する。世帯動作状態判定部１０４は、判定した各世帯に属する各機器の動作状態を示す動作状態判定情報を、世帯ＩＤおよび世帯属性情報と関連づけて世帯動作状態蓄積部１０５に格納する。
【０１１９】
（世帯属性判定部）
世帯属性判定部１１７は、世帯動作状態蓄積部１０５に格納されている世帯属性情報に基づいて、対象地域における各世帯の世帯属性を判定する手段である。世帯属性情報としては、例えば、若年者、中年者および高齢者などの世帯を主に構成する人の年齢、並びに、性別などを挙げることができるが、特に限定されるものではない。
【０１２０】
（推奨動作状態判定部）
推奨動作状態判定部１０６は、世帯属性判定部１１７において判定された異なる世帯属性の世帯毎に推奨動作状態を判定する。
【０１２１】
（世帯属性を用いたアドバイス）
上記の構成によれば、本実施形態に係る地域情報管理装置１０ｅは、世帯属性判定部１１７において同一の世帯属性と判定された世帯のみを対象世帯として、アドバイスコンテンツを供給することができる。
【０１２２】
例えば、対象機器が照明機器である場合、アドバイスコンテンツにより、世帯属性判定部１１７において世帯属性が中年者と判定された対象世帯に対しては照明機器をＯＮ状態にすることを推奨すると共に、高齢者と判定された対象世帯に対しては照明機器をＯＦＦにすることを推奨することができる。
【０１２３】
これによれば、例えば、夜の時間帯であって、中年者の世帯に対する照明装置の推奨動作状態がＯＮ状態であり、高齢者の世帯に対する推奨動作状態がＯＦＦ状態である時間帯にも、それぞれの世帯に適したアドバイスコンテンツを供給することができる。
【０１２４】
また、対象機器がテレビであり、推奨動作状態判定部１０６において、若年者の世帯に属するテレビの推奨動作状態としてチャンネルＡを選択する旨の判定がされ、中年者の世帯に属するテレビの推奨動作状態としてチャンネルＢを選択する旨が判定されたとき、対象世帯が若年者の世帯である場合にはチャンネルＡを選択することを推奨するアドバイスコンテンツを提供し、対象世帯が中年者の世帯である場合にはチャンネルＢを選択することを推奨するアドバイスコンテンツを提供することができる。
【０１２５】
したがって、世帯属性判定部１１７において各世帯の世帯属性を判定することにより、判定された世帯属性毎に推奨動作状態を判定することができるため、各世帯により適したアドバイスコンテンツを提供する（アドバイスを行う）ことができる。
【０１２６】
なお、本実施形態では、世帯属性情報を動作状態情報および世帯ＩＤと共に世帯情報管理装置２０から取得する構成を例に挙げて説明したが、本発明はこれに限定されるものではない。例えば、地域情報管理装置１０ｅの記憶装置（不図示）に、世帯ＩＤと世帯属性情報とを関連付けたテーブルが予め格納されている構成を採用することもできる。
【０１２７】
この場合には、世帯属性判定部１１７は、世帯動作状態蓄積部１０５から読み出した世帯ＩＤと関連付けられている世帯属性情報をテーブルから読み出し、読み出した世帯属性情報に基づいて世帯属性を判定すればよい。
【０１２８】
＜変形例＞
なお、実施形態５においては、各世帯に属する各機器について、世帯属性に応じて世帯属性毎に推奨動作状態を判定する構成を説明したが、本発明はこれに限定されるものではない。例えば、機器の種別に応じて、ある機器については各世帯に共通の推奨動作状態を判定し、他の機器については世帯属性毎に推奨動作状態を判定する構成を採用することもできる。
【０１２９】
（世帯属性判定部、推奨動作状態判定部）
世帯属性判定部１１７は、世帯動作状態蓄積部１０５に格納されている世帯属性情報に基づいて、対象地域における各世帯の世帯属性を判定する。
【０１３０】
本変形例に係る推奨動作状態判定部１０６は、まず、推奨動作状態を判定する対象となる対象機器が、世帯情報毎に推奨動作状態を判定すべき機器であるか、世帯情報によらず共通の推奨動作状態を判定すべき機器であるかを判定する。
【０１３１】
判定方法としては、例えば、図１０に示すように、対象機器の種別と推奨動作状態の判定に世帯情報を利用するか否かを示す情報とを関連付けたテーブルを参照して判定する方法などを挙げることができる。図１０は、本変形例に係る世帯属性判定部１１７において参照される、対象機器の種別と世帯情報の利用の有無とを関連付けたテーブルの一例を示す図である。
【０１３２】
そして、推奨動作状態判定部１０６は、世帯情報を利用しないと判定した対象機器（図１０においては、エアコン）については、世帯属性判定部１１７の判定結果によらず、対象地域における各世帯に属する対象機器に共通の推奨動作状態を判定する。また、推奨動作状態判定部１０６は、世帯情報を利用すると判定した対象機器（図１０においては、照明およびＴＶ）については、世帯属性判定部１１７の判定結果に応じて、世帯情報毎に推奨動作状態を判定する。
【０１３３】
これによって、地域情報管理装置１０ｅは、対象機器がエアコンである場合には、対象地域における各世帯のエアコンについて共通の推奨動作状態に基づいて作成したアドバイスコンテンツを各世帯に提供することができる。したがって、例えば、気温が高いにも係らず、一部の世帯に対してはエアコンをＯＮ状態とすることがアドバイスされる一方、他の一部の世帯に対してはＯＦＦ状態とすることがアドバイスされてしまうなどということを防ぐことができる。
【０１３４】
また、地域情報管理装置１０ｅは、対象機器が照明装置及びテレビなどである場合には、各世帯の属性に適した動作状態をアドバイスすることができる。
【０１３５】
＜実施形態６＞
地域情報管理装置１０、１０ａ〜１０ｅ、及び、世帯情報管理装置２０、２０ａの各部は、集積回路（ＩＣチップ）等に形成された論理回路（ハードウェア）によって実現してもよいし、ＣＰＵ（Central Processing Unit）を用いてソフトウェアによって実現してもよい。
【０１３６】
後者の場合、地域情報管理装置１０、１０ａ〜１０ｅ、及び、世帯情報管理装置２０、２０ａは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１３７】
＜まとめ＞
本発明の態様１に係る管理装置（地域情報管理装置１０）は、対象地域における各世帯に属する各機器の動作状態を示す情報（動作状態情報）を取得する動作状態情報取得手段（世帯情報受信部１０１）と、処理対象の世帯である対象世帯に属する対象種別の機器（対象機器）に関するアドバイスを、上記対象地域における各世帯に属する当該対象種別の機器の動作状態を参照して決定（判定）するアドバイス決定手段（推奨動作状態判定部１０６、アドバイス作成部１０８、コンテンツ作成部１０９）と、上記アドバイス決定手段によって決定されたアドバイスを、上記対象世帯に対して送信するアドバイス送信手段（コンテンツ送信部１１１）と、を備え、上記アドバイス送信手段は、上記対象世帯に属する対象種別の機器の動作状態と、上記アドバイス決定手段によって決定されたアドバイスが推奨する動作状態（推奨動作状態）とが異なる場合にのみ、当該対象世帯に対してアドバイスを送信する、ことを特徴としている。
【０１３８】
上記の構成によれば、上記アドバイス決定手段は、上記対象世帯の含まれる対象地域における各世帯に属する対象種別の機器の動作状態を参照して、上記対象世帯に属する対象種別の機器に関するアドバイスを決定する。そして、上記アドバイス決定手段は、当該対象世帯に属する対象種別の機器の動作状態と、アドバイスが推奨する動作状態とが異なる場合にのみ、アドバイスを送信する。
【０１３９】
これにより、上記管理装置は、上記対象世帯に対し、当該対象世帯に属する対象種別の機器の動作状態を、上記対象地域における各世帯に属する対象種別の機器の動作状態を参照して決定されたアドバイスが推奨する動作状態とすることをアドバイスすることができる。したがって、上記管理装置は、上記対象世帯に属する対象種別の機器に関し、従来と比較してより効率的なアドバイスを提供することができる。
【０１４０】
また、上記対象世帯においてアドバイスを参照するユーザは、上記対象種別の機器の動作状態が推奨される動作状態と異なる場合にのみ、アドバイスに従って当該対象種別の機器の動作状態を調整すればよいため、ユーザの利便性を向上させることができる。
【０１４１】
なお、上記機器に関するアドバイス（機器の動作に関するアドバイス）としては、例えば、対象種別の機器をオンとすることを推奨するアドバイス、オフとすることを推奨するアドバイスなどを挙げることができる。また、上記機器に関するアドバイスは、対象種別の機器がエアコンである場合には、エアコンの設定温度を所定の温度（例えば２８℃）とするよう推奨する旨のアドバイスであってもよいし、対象種別の機器がテレビである場合には、所定のチャンネル（例えばチャンネルＡ）を選択することを推奨する旨のアドバイスであってもよい。
【０１４２】
本発明の態様２に係る管理装置において、上記態様１に係る上記アドバイス決定手段は、上記対象地域における各世帯に属する各機器の動作状態として、該機器のオンオフの状態（ＯＮ／ＯＦＦ状態）を、該機器の種別毎に判定する第１判定手段（世帯動作状態判定部１０４）を更に備え、上記第１判定手段は、ある世帯に属する対象種別の各機器のうち、少なくとも１つの機器がオン状態であれば、当該ある世帯に属する当該対象種別の機器はオン状態であると判定し、ある世帯に属する対象種別の全ての機器がオフ状態であれば、当該ある世帯に属する当該対象種別の機器はオフ状態であると判定してもよい。
【０１４３】
上記の構成によれば、上記第１判定手段は、上記ある世帯に属する対象種別の全ての機器がオフ状態である場合に限って、当該ある世帯に属する当該対象種別の機器はオフ状態であると判定する。これにより、上記管理装置は、対象世帯に属する上記対象種別の機器が複数ある場合であっても、各機器に対して異なるアドバイスがされてしまうことを防ぐことができる。
【０１４４】
本発明の態様３に係る管理装置において、上記態様１に係る上記アドバイス決定手段は、上記対象地域における各世帯に属する各機器の動作状態として、該機器のオンオフの状態を、該機器の電力消費量に基づいて判定する第２判定手段（機器動作状態判定部１１４）を更に備え、上記第２判定手段は、ある世帯に属する対象種別の機器の電力消費量が所定の閾値以上であれば、当該ある世帯に属する当該対象種別の機器はオン状態であると判定し、ある世帯に属する対象種別の機器の電力消費量が所定の閾値未満であれば、当該ある世帯に属する当該対象種別の機器はオフ状態であると判定してもよい。
【０１４５】
上記の構成によれば、上記第２判定手段は、上記ある世帯に属する対象種別の機器の電力消費量に基づいて、当該ある世帯に属する当該対象種別の機器のオンオフ状態を判定する。これにより、上記管理装置は、上記対象種別の機器のオンオフ状態を取得できない場合であっても、電力消費量に基づいてオンオフを判定することができる。
【０１４６】
本発明の態様４に係る管理装置において、上記態様２又は３に係る上記アドバイス決定手段は、上記対象地域における対象種別の機器のうち、オン状態であると判定された機器の割合が所定の割合以上である場合、当該対象種別の機器をオンとすることを推奨するアドバイスを生成し、上記対象地域における対象種別の機器のうち、オフ状態であると判定された機器の割合が所定の割合以上である場合、当該対象種別の機器をオフとすることを推奨するアドバイスを生成してもよい。
【０１４７】
上記の構成によれば、上記アドレス決定手段は、上記対象世帯に対して、上記第１判定手段による動作状態の判定結果が同じである機器の割合が所定の割合以上である場合に、当該判定結果の動作状態とすることを推奨するアドバイスを生成する。したがって、上記管理装置は、上記対象世帯に対して、対象種別の機器を、動作状態が同じである所定の割合以上の数の機器と同じ動作状態とすることを推奨するアドバイスを送信することができる。
【０１４８】
これによって、上記対象世帯におけるユーザは、上記対象地域における各世帯に属する対象種別の機器のうち、所定の割合以上の機器に共通する動作状態をアドバイスにより知ることができる。したがって、上記管理装置は、上記対象種別の機器の動作状態を、上記対象地域における各世帯に属する対象種別の機器の動作状態のうち、所定の割合以上の機器に共通する動作状態とすることをアドバイスすることができる。
【０１４９】
例えば、上記管理装置は、上記対象種別の機器がエアコンである場合には、上記対象地域において多くの人が気温が暑いと感じエアコンをオンにしている世帯が所定の割合以上であるにも係らずエアコンをオンにしていない世帯に対して、エアコンをオンにすることを推奨することにより、気温の暑さに鈍感になったユーザがエアコンをオンにしないことにより熱中症などになってしまうことを予防することができる。
【０１５０】
本発明の態様５に係る管理装置において、上記態様１から４に係る上記アドバイス決定手段は、ある世帯に属する対象種別の機器の動作状態が変化した場合に、当該ある世帯に属する対象種別の機器の動作状態を判定する第３判定手段（時間フィルタ部１１５）を更に備え、上記第３判定手段は、変化後の動作状態の継続期間が所定の期間以上である場合には、当該変化後の動作状態を当該ある世帯に属する対象種別の機器の動作状態であると判定し、変化後の動作状態の継続期間が所定の期間未満である場合には、変化前の動作状態を当該ある世帯に属する対象種別の機器の動作状態であると判定してもよい。
【０１５１】
上記の構成によれば、上記第３判定手段は、上記対象種別の機器の動作状態を、上記変化後の動作状態の継続期間が所定の期間以上である場合には、当該変化後の動作状態と判定し、上記変化後の動作状態の継続期間が所定の期間未満である場合には、変化前の動作状態と判定する。
【０１５２】
このため、上記アドバイス決定手段は、上記対象種別の機器の動作状態が短期間だけ変化するような場合に、短期間だけ変化した動作状態によらずにアドバイスを決定することができる。したがって、上記アドバイス決定部は、上記対象種別の機器の動作状態が短期間だけ変化した場合であっても、上記対象世帯へ送信されるアドバイスが短期間で変化してしまうことを防ぐことができる。
【０１５３】
本発明の態様６に係る管理装置は、上記態様１から５において、上記各世帯に人が存在するか否かを判定する存否判定手段（在宅状態判定部１１６）を更に備え、上記アドバイス決定手段は、上記存否判定手段において人が存在すると判定された各世帯に属する対象種別の機器の動作状態のみを参照して、対象世帯に属する対象種別の機器に関するアドバイスを決定してもよい。
【０１５４】
上記の構成によれば、上記アドバイス決定手段は、上記存否判定手段において人が存在しないと判定された各世帯に属する対象種別の動作状態を参照することなく、アドバイスを決定することができる。したがって、上記管理装置は、より正確なアドバイスを対象世帯に送信することができる。
【０１５５】
本発明の態様７に係る管理装置において、上記態様１から６に係る上記存否判定手段は、ある世帯における全ての電力消費量が所定の閾値以上である場合に、当該ある世帯に人が存在すると判定してもよい。
【０１５６】
上記の構成によれば、上記管理装置は、上記各世帯に人を存在するか否かを検出するための装置を何ら設けなくとも、上記存否判定手段によって上記各世帯に人を存在するか否かを判定することができる。
【０１５７】
本発明の態様８に係る管理装置の管理方法は、対象地域における各世帯に属する各機器の動作状態を管理する管理装置の管理方法であって、上記対象地域における各世帯に属する各機器の動作状態を示す情報を取得する動作状態情報取得ステップと、処理対象の世帯である対象世帯に属する対象種別の機器に関するアドバイスを、上記対象地域における各世帯に属する当該対象種別の機器の動作状態を参照して決定するアドバイス決定ステップと、上記アドバイス決定ステップにおいて決定されたアドバイスを、上記対象世帯に対して送信するアドバイス送信ステップと、を含み、上記アドバイス送信ステップにおいて、上記対象世帯に属する対象種別の機器の動作状態と、上記アドバイス決定ステップにおいて決定されたアドバイスが推奨する動作状態とが異なる場合にのみ、当該対象世帯に対してアドバイスを送信する、ことを特徴としている。
【０１５８】
上記の構成によれば、上記管理方法は、上述した上記管理装置と同様の効果を奏する。
【０１５９】
本発明の各態様に係る管理装置は、コンピュータによって実現してもよく、この場合には、コンピュータを上記管理装置が備える各手段として動作させることにより上記管理装置をコンピュータにて実現させる管理装置のプログラム、およびそれを記録したコンピュータ読み取り可能な記録媒体も、本発明の範疇に入る。
【０１６０】
なお、ある着目した請求項に記載された構成と、その他の請求項に記載された構成との組み合わせが、その着目した請求項で引用された請求項に記載された構成との組み合わせのみに限られることはなく、本発明の目的を達成できる限り、その着目した請求項で引用されていない請求項に記載された構成との組み合わせが可能である。
【０１６１】
本発明は上述した実施形態および変形例に限定されるものではなく、請求項に示した範囲で種々の変更が可能であり、上記実施形態にそれぞれ開示された技術的手段を適宜組み合わせて得られる他の実施形態についても本発明の技術的範囲に含まれる。
【産業上の利用可能性】
【０１６２】
本発明に係る地域情報管理装置は、エアコン、加湿器、及び空気清浄器などの空気調和装置、照明装置、並びに、テレビジョン受像器などの機器を管理するサーバなどに好適に適用することができる。
【符号の説明】
【０１６３】
１、１’、２〜５      地域管理システム
１０、１０ａ〜１０ｅ  地域情報管理装置（管理装置）
２０、２０ａ          世帯情報管理装置
１０１                世帯情報受信部
１０２                世帯情報管理部
１０３                世帯情報蓄積部
１０４                世帯動作状態判定部（第１判定手段）
１０５                世帯動作状態蓄積部
１０６                推奨動作状態判定部（アドバイス決定手段）
１０７                アドバイス蓄積部
１０８、１１２        アドバイス作成部（アドバイス決定手段）
１０９                コンテンツ作成部（アドバイス決定手段）
１１０                コンテンツ要求受信部
１１１                コンテンツ送信部（アドバイス送信手段）
１１３                閾値算出部
１１４                機器動作状態判定部（第２判定手段）
１１５                時間フィルタ部（第３判定手段）
１１６                在宅状態判定部（存否判定手段）
１１７                世帯属性判定部
２０１                世帯情報送信部
２０２                コンテンツ要求部
２０３                コンテンツ受信部
２０４                コンテンツ視聴部
【図１】
2014231962.tif 000003
【図２】
2014231962.tif 000004
【図３】
2014231962.tif 000005
【図４】
2014231962.tif 000006
【図５】
2014231962.tif 000007
【図６】
2014231962.tif 000008
【図７】
2014231962.tif 000009
【図８】
2014231962.tif 000010
【図９】
2014231962.tif 000011
【図１０】
2014231962.tif 000012